(57)【特許請求の範囲】
【請求項１】
直管状の管本体の長手方向の一端側の口金が２本のランプピンを備え、前記各ランプピンが、前記長手方向に沿って突出したピン本体の先端部から前記管本体の径方向に延設された鍵部を有するＬ字状に形成された特定の直管形のＬＥＤランプを装着するランプソケットであって、前記両ランプピンを保持するランプ保持部と、前記ランプ保持部を収納する箱状のソケット本体とを備え、前記ソケット本体は、前記口金側の前壁に形成され前記各ランプピンを通すことが可能な開口部と、前記前壁と前記前壁に隣り合う周壁とに跨って形成されて前記開口部に連通し前記各ランプピンを前記開口部へ導入可能な導入口と、前記口金側とは反対側の後壁から前記前壁側へ突出し前記ランプ保持部を回動自在に保持する回動軸部とを備え、前記回動軸部は、前記前壁に平行な断面の形状が弧状であり前記鍵部の幅寸法よりも大きな第１の規定寸法だけ離れるように対向配置された２つの軸片により構成され、前記ランプ保持部は、前記回動軸部に回動自在に保持される回動子と、前記回動子に保持される前記各ランプピンそれぞれの前記ピン本体に対して各別に弾接可能な２つの導電板とを備え、前記回動子は、前記回動軸部が挿通される挿通孔が中央部に形成され前記後壁に沿って配設される円板状の回動子本体と、前記回動子本体における前記挿通孔の周部から前記前壁側へ突出し前記回転軸部に外装される軸受部とを備え、前記軸受部が、前記前壁に平行な断面の形状が弧状であり前記鍵部の幅寸法よりも大きな第２の規定寸法だけ離れるように対向配置された２つの軸受片により構成され、前記回動子本体の周部には、前記回動子本体の周方向への前記ランプピンの前記鍵部の移動を規制する２つ１組の突起部からなる位置決め部が前記回動子の１つの径方向に離間して設けられるとともに、前記両位置決め部の間において、前記各導電板のばね力に抗して前記各導電板と前記各ランプピンの前記ピン本体との接触を妨げる壁部が設けられてなることを特徴とするランプソケット。
【請求項２】
前記回動子本体の周部には、前記ランプピンが前記位置決め部に位置決めされてから前記回動子が９０度回動されたときに、前記各ピン本体と前記各導電板とが各別に接触するように前記壁部が配置されてなることを特徴とする請求項１記載のランプソケット。
【請求項３】
請求項１または請求項２記載のランプソケットと、前記ランプソケットを保持する器具本体と、前記ランプソケットへ給電する電源装置とを備えてなることを特徴とする照明器具。
【発明の詳細な説明】
【技術分野】
【０００１】
本発明は、ランプソケットおよびそれを用いた照明器具に関するものである。
【背景技術】
【０００２】
従来から、直管形の蛍光ランプを装着するランプソケットおよびそれを用いた照明器具が提案されている（例えば、特許文献１参照）。
【０００３】
また、近年、上述の照明器具にも取り付け可能な直管形のＬＥＤランプが、蛍光ランプに代わる光源として市場に提供されている。しかしながら、直管形のＬＥＤランプを上述の照明器具へ取り付ける方法は、各メーカ間で統一されておらず、上述の照明器具の改造方法（例えば、照明器具から安定器を取り外すなど）も各メーカによって様々である。
【先行技術文献】
【特許文献】
【０００４】
【特許文献１】特開２００５−４４７１７号公報
【発明の概要】
【発明が解決しようとする課題】
【０００５】
ところで、直管形のＬＥＤランプ用に改造が施された照明器具は、再び直管形の蛍光ランプが装着されたり、他の種類の直管形のＬＥＤランプ（例えば、口金の形状が異なる直管形のＬＥＤランプなど）が装着されたりする可能性がある。なお、最近では、直管形のＬＥＤランプ（直管形ＬＥＤランプ）について、社団法人日本電球工業会により、Ｌ型口金付直管形ＬＥＤランプシステム（ＪＥＬ８０１）が規格化されている。
【０００６】
したがって、安定器を取り外す改造が施された照明器具では、直管形の蛍光ランプが装着されると蛍光ランプの不点灯が発生する。また、安定器を取り外す改造が施された照明器具では、他の種類の直管形のＬＥＤランプが装着されると、接触不良などの問題を引き起こす可能性がある。
【０００７】
本発明は上記事由に鑑みて為されたものであり、その目的は、特定の直管形のＬＥＤランプを装着することが可能で、且つ、既存の直管形の蛍光ランプが誤装着されるのを防止できるランプソケットおよびそれを用いた照明器具を提供することにある。
【課題を解決するための手段】
【０００８】
本発明のランプソケットは、直管状の管本体の長手方向の一端側の口金が２本のランプピンを備え、前記各ランプピンが、前記長手方向に沿って突出したピン本体の先端部から前記管本体の径方向に延設された鍵部を有するＬ字状に形成された特定の直管形のＬＥＤランプを装着するランプソケットであって、前記両ランプピンを保持するランプ保持部と、前記ランプ保持部を収納する箱状のソケット本体とを備え、前記ソケット本体は、前記口金側の前壁に形成され前記各ランプピンを通すことが可能な開口部と、前記前壁と前記前壁に隣り合う周壁とに跨って形成されて前記開口部に連通し前記各ランプピンを前記開口部へ導入可能な導入口と、前記口金側とは反対側の後壁から前記前壁側へ突出し前記ランプ保持部を回動自在に保持する回動軸部とを備え、前記回動軸部は、前記前壁に平行な断面の形状が弧状であり前記鍵部の幅寸法よりも大きな第１の規定寸法だけ離れるように対向配置された２つの軸片により構成され、前記ランプ保持部は、前記回動軸部に回動自在に保持される回動子と、前記回動子に保持される前記各ランプピンそれぞれの前記ピン本体に対して各別に弾接可能な２つの導電板とを備え、前記回動子は、前記回動軸部が挿通される挿通孔が中央部に形成され前記後壁に沿って配設される円板状の回動子本体と、前記回動子本体における前記挿通孔の周部から前記前壁側へ突出し前記回転軸部に外装される軸受部とを備え、前記軸受部が、前記前壁に平行な断面の形状が弧状であり前記鍵部の幅寸法よりも大きな第２の規定寸法だけ離れるように対向配置された２つの軸受片により構成され、前記回動子本体の周部には、前記回動子本体の周方向への前記ランプピンの前記鍵部の移動を規制する２つ１組の突起部からなる位置決め部が前記回動子の１つの径方向に離間して設けられるとともに、前記両位置決め部の間において、前記各導電板のばね力に抗して前記各導電板と前記各ランプピンの前記ピン本体との接触を妨げる壁部が設けられてなることを特徴とする。
【０００９】
このランプソケットにおいて、前記回動子本体の周部には、前記ランプピンが前記位置決め部に位置決めされてから前記回動子が９０度回動されたときに、前記各ピン本体と前記各導電板とが各別に接触するように前記壁部が配置されてなることが好ましい。
【００１０】
本発明の照明器具は、前記ランプソケットと、前記ランプソケットを保持する器具本体と、前記ランプソケットへ給電する電源装置とを備えてなることを特徴とする。
【発明の効果】
【００１１】
本発明のランプソケットにおいては、特定の直管形のＬＥＤランプを装着することが可能で、且つ、既存の直管形の蛍光ランプが誤装着されるのを防止できる。
【００１２】
本発明の照明器具においては、特定の直管形のＬＥＤランプを装着することが可能で、且つ、既存の直管形の蛍光ランプが誤装着されるのを防止できる前記ランプソケットを備えた照明器具を提供することができる。
【図面の簡単な説明】
【００１３】
【図１】本実施形態のランプソケットを示し、（ａ）は分解斜視図、（ｂ）は斜視図である。
【図２】同上のランプソケットへの特定の直管形のＬＥＤランプの装着方法の説明図である。
【図３】同上のランプソケットに装着される特定の直管形のＬＥＤランプの要部拡大図である。
【図４】同上のランプソケットにおける回動子と特定の直管形のＬＥＤランプにおけるランプピンとの位置関係を示す正面図である。
【図５】同上のランプソケットにおける回動子の他の構成例を示す正面図である。
【図６】同上のランプソケットを備えた照明器具を示し、（ａ）は斜視図、（ｂ）は概略構成図である。
【図７】同上のランプソケットへの特定の直管形のＬＥＤランプの装着方法の説明図である。
【図８】同上のランプソケットへの特定の直管形のＬＥＤランプの装着方法の説明図である。
【発明を実施するための形態】
【００１４】
以下、本実施形態のランプソケットについて、図１〜図８を参照しながら説明する。なお、本実施形態のランプソケット１０に装着される特定の直管形のＬＥＤランプ１１を説明した後に、ランプソケット１０を説明する。
【００１５】
ＬＥＤランプ１１は、図２に示すように、透光性材料（例えば、ガラスなど）により形成された直管状の管本体１２と、管本体１２の長手方向の両端にそれぞれ設けられた口金１３，１３とを備えている。
【００１６】
管本体１２内には、複数の発光ダイオード（図示せず）を上記長手方向に沿って実装した回路基板（図示せず）が収納されている。なお、上記各発光ダイオードそれぞれは、上記回路基板に形成された導電パターンに電気的に接続されている。また、上記回路基板は、熱伝導性に優れたセラミック基板を用いて形成されている。
【００１７】
管本体１２の長手方向の一端側の口金１３には、ランプソケット１０に保持されるとともに管本体１２内に収納された上記回路基板へ給電するための２本のランプピン（端子）１４，１４が設けられている。また、管本体１２の長手方向の他端側の口金１３には、ランプソケット１０に保持されるアース用の１本のランプピン（端子）１５が設けられている。
【００１８】
２本のランプピン１４，１４は、上記一端側の口金１３の端面（口金基準面）から管本体１２側とは反対側（図２（ａ）では、左側）へ突出している。ここで、ランプピン１４，１４は、管本体１２内に収納された上記回路基板の上記導電パターンに電気的に接続されており、一方のランプピン１４が上記回路基板の正極側の上記導電パターンに接続され、他方のランプピン１４が上記回路基板の負極側の上記導電パターンに接続されている。
【００１９】
各ランプピン１４は、図３に示すように、Ｌ字状にそれぞれ形成されており、管本体１２の長手方向に沿って突出したピン本体１４ａと、ピン本体１４ａの先端部から管本体１２の１つの径方向に沿って延設された鍵部１４ｂとでそれぞれ構成されている。２つの鍵部１４ｂは、互いに離れる向きに延設されている。なお、ランプピン１４は、細長の金属板を折曲することにより形成されている。
【００２０】
１本のランプピン１５は、上記他端側の口金１３の端面（口金基準面）から管本体１２とは反対側（図２（ａ）では、右側）へ突出している。また、ランプピン１５は、Ｔ字状に形成されており、管本体１２の長手方向に沿って突出したピン本体１５ａと、ピン本体１５ａの先端部に設けられた平面視長円状の端子部１５ｂとで構成されている。なお、ＬＥＤランプ１１は、社団法人日本電球工業会のＬ型口金付直管形ＬＥＤランプシステム（ＪＥＬ８０１）を満たすように構成されている。
【００２１】
本実施形態のランプソケット１０は、上述のＬＥＤランプ１１を装着するものであって、図１に示すように、ＬＥＤランプ１１の２本のランプピン１４，１４を保持するランプ保持部１７と、ランプ保持部１７を収納する箱状のソケット本体１とを備えている。
【００２２】
ソケット本体１は、それぞれ絶縁性を有する合成樹脂により形成された成形品であって、口金１３側（図１（ａ）では、左側）にランプ保持部１７を収納する収納部２ａが形成された箱状のボディ２と、ボディ２の収納部２ａを閉塞する形でボディ２に取り付けられる板状のカバー３とで構成されている。
【００２３】
ボディ２には、カバー３に設けられた複数（例えば、２つ）の係合爪（図示せず）がそれぞれ係合する複数の係合孔（図示せず）が形成されており、カバー３の上記係合爪をボディ２の上記係合孔にそれぞれ係合させることによってソケット本体１が組み立てられる。なお、ボディ２とカバー３とは、ボディ２の上記係合孔とカバー３の上記係合爪とを係合することで結合されるが、ボディ２とカバー３との結合方法はこれに限らず、例えば、接着剤で固着する方法でもよい。
【００２４】
カバー３には、２本のランプピン１４，１４を通すことが可能な円形状の開口部３ａが形成されるとともに、開口部３ａに連通し各ランプピン１４を開口部３ａへ導入可能なスリット部３ｂが形成されている。
【００２５】
また、ボディ２の周壁２ｆには、カバー３のスリット部３ｂに連通し各ランプピン１４をカバー３の開口部３ａへ導入可能なスリット口２ｇが形成されている。さらに、ボディ２の周壁２ｆには、一対の第１の電線２７，２７（図６参照）が挿通する２つの電線挿通孔２ｅ，２ｅが設けられている。
【００２６】
また、ボディ２の底壁２ｂには、ランプ保持部１７を回動自在に保持する回動軸部２ｃがカバー３側へ突出している。ここにおいて、本実施形態のランプソケットは、カバー３のスリット部３ｂとボディ２のスリット口２ｇとで、各ランプピン１４を開口部３ａへ導入可能な導入口７を構成している。また、本実施形態のランプソケットは、カバー３が前壁を構成し、ボディ２の周壁２ｆが周壁を構成して、ボディ２の底壁２ｂが後壁を構成している。
【００２７】
回動軸部２ｃは、カバー３に平行な断面の形状が弧状であって、各ランプピン１４の鍵部１４ｂの幅寸法（図４における左右方向の寸法）よりも大きな第１の規定寸法Ｔ１（図４参照）だけ離れるように対向配置された２つの軸片２ｄにより構成されている。
【００２８】
ランプ保持部１７は、回動軸部２ｃに回動自在に保持される回動子４と、回動子４に保持される各ランプピン１４のピン本体１４ａそれぞれに対して各別に弾接可能な２つの導電板５，５とを備えている。
【００２９】
回動子４は、絶縁性を有する合成樹脂により形成された成形品であって、回動軸部２ｃが挿通される挿通孔４ｄ（図４参照）が中央部に形成されボディ２の底壁２ｂに沿って配設される円板状の回動子本体４ａと、回動子本体４ａの挿通孔４ｄの周部からカバー３側へ突出しボディ２における回動軸部２ｃに外装される軸受部４ｂとを備えている。
【００３０】
回動子本体４ａの直径は、カバー３の開口部３ａの直径と略同じ寸法に設定されている。
【００３１】
軸受部４ｂは、カバー３に平行な断面の形状が弧状であって、各ランプピン１４の鍵部１４ｂの幅寸法よりも大きな第２の規定寸法Ｔ２だけ離れるように対向配置された２つの軸受片４ｃ，４ｃにより構成されている。なお、本実施形態のランプソケット１０では、第１の規定寸法Ｔ１と第２の規定寸法Ｔ２とが同じ寸法に設定されているが、互いに異なっていてもよい。
【００３２】
また、軸受部４ｂの内径寸法は、回動軸部２ｃの外径寸法よりも若干大きく設定されている。
【００３３】
したがって、回動子４は、軸受部４ｂをボディ２における回動軸部２ｃに外装することにより軸受部４ｂが回動軸部２ｃに回動自在に保持されるので、回動可能となる。
【００３４】
また、軸受部４ｂの外径寸法Ｄ１は、図４に示すように、２本のランプピン１４，１４における各ピン本体１４ａ間の内側の距離Ｐ１よりも小さく設定されている。
【００３５】
また、回動子本体４ａの周部には、回動子本体４ａの周方向へ各ランプピン１４の鍵部１４ｂの移動を規制する２つ１組の突起部４ｆからなる位置決め部４ｇが回動子４の１つの径方向（図４では、上下方向）に離間して設けられている。
【００３６】
突起部４ｆの高さ寸法は、各ランプピン１４の鍵部１４ｂの厚み寸法よりも大きく、且つ、導電板５に干渉しない寸法に設定されている（図７参照）。
【００３７】
位置決め部４ｇにおける各突起部４ｆ，４ｆ間の寸法は、各ランプピン１４の鍵部１４ｂの幅寸法よりも若干大きく設定されている。また、両位置決め部４ｇ，４ｇ間の寸法は、２本のランプピン１４，１４におけるピン本体１４ａ，１４ａ同士の非対向面の距離Ｐ２と略同じ寸法に設定されている。つまり、位置決め部４ｇは、図４に示すように、各ランプピン１４の鍵部１４ｂそれぞれと接触可能な位置に配置されている。言い換えれば、位置決め部４ｇは、日本工業規格（ＪＩＳ  Ｃ  ７７９０−１）で規格化されたＧ１３型口金を有する直管形の蛍光ランプにおける２本のランプピン６，６（図４参照）と接触しない位置に配置されている。要するに、回動子４は、回動子本体４ａに設けられた両位置決め部４ｇ，４ｇで鍵部１４ｂが位置決めされた状態でしか回動できない構造となっている。
【００３８】
したがって、本実施形態のランプソケット１０は、既存の直管形の蛍光ランプが誤装着されるのを防止できる。ここにおいて、本実施形態のランプソケット１０では、回動子本体４ａの周部に、２つ１組の突起部４ｆを回動子４の１つの径方向に離間して設けた構造であるが、例えば、図５に示すように、突起部と後述の壁部４ｅとを連続一体に設けた構造であってもよい。この場合には、回動子本体４ａの直径は、カバー３の開口部３ａの直径よりも大きく設定されている。しかし、図５に示した構成のランプソケットでは、各ランプピン１４の鍵部１４ｂそれぞれが各導電板５に各別に接触することになるので、各ランプピン１４と各導電板５との接触範囲が狭くなる。これに対して、本実施形態のランプソケット１０では、各ランプピン１４のピン本体１４ａそれぞれが各導電板５に各別に接触するので、各ランプピン１４と各導電板５との接触範囲が広くなり、接触不良を防止することができる。
【００３９】
また、回動子本体４ａは、両位置決め部４ｇ，４ｇの間における周縁部それぞれに、各導電板５のばね力に抗して各導電板５と各ランプピン１４のピン本体１４ａとの接触を妨げる壁部４ｅが設けられている。この壁部４ｅは、Ｇ１３型口金を有する直管形の蛍光ランプにおける各ランプピン６と各導電板５との接触も妨げる。
【００４０】
したがって、２つの壁部４ｅ，４ｅは、Ｇ１３型口金を有する直管形の蛍光ランプにおける２本のランプピン６，６がランプソケット１０に強引に装着される場合に、蛍光ランプにおける各ランプピン６と各導電板５との接触を妨げるので、既存の直管形の蛍光ランプが強引に装着されるのを防止できる。
【００４１】
また、各壁部４ｅには、各壁部４ｅの先端部から回動子４の１つの径方向に沿って延設された鍔部４ｈがそれぞれ形成されている。これによって、回動子４は、ランプソケット１０から抜けないようになっている。
【００４２】
また、２つの壁部４ｅ，４ｅにおける内径寸法Ｄ２は、図４に示すように、２本のランプピン１４，１４におけるピン本体１４ａ，１４ａ同士の非対称面の距離Ｐ２よりも大きく設定されている。
【００４３】
また、本実施形態のランプソケット１０は、２つのランプピン１４，１４が両位置決め部４ｇ，４ｇに位置決めされてから回動子４が９０度回動されたときに、各ランプピン１４のピン本体１４ａそれぞれと各導電板５とが各別に接触するように２つの壁部４ｅ，４ｅが回動子本体４ａの周部に配置されることが好ましい。
【００４４】
２つの導電板５，５は、図１に示すように、弾性を有する導電性材料（例えば、銅合金など）により形成されており、ボディ２における回動軸部２ｃの軸方向に直交する上下方向を中心として左右対称となる形でボディ２内に収納されている。
【００４５】
また、２つの導電板５，５は、ボディ２の底壁２ｂから回動子本体４ａに設けられた突起部４ｆの高さ寸法だけ離れて配置されている。
【００４６】
また、各導電板５は、弧状に湾曲した接触ばね片５ａと、Ｊ字状の電線接続片５ｄとでそれぞれ構成されている。
【００４７】
また、各電線接続片５ｄには、ボディ２の収納部２ａの内周壁に設けられ導電板５をボディ２内において底壁２ｂから所定の高さだけ離して配置するための突起（図示せず）が挿通する挿通孔５ｅがそれぞれ形成されている。
【００４８】
各接触ばね片５ａは、回動子４における各壁部４ｅの外周壁に沿ってそれぞれ配置されている。
【００４９】
２つの電線接続片５ｄ，５ｄは、ソケット本体１内に挿入された一対の第１の電線２７，２７（図６参照）に電気的に接続されており、一方の電線接続片５ｄが正極側の第１の電線２７に接続され、他方の電線接続片５ｄが負極側の第１の電線２７に接続されている。
【００５０】
また、各導電板５におけるボディ２の上記上下方向の他端側（図１では、上側）には、２本のランプピン１４，１４を回動子４へ導入する（案内する）ための導入片（案内片）５ｂがそれぞれ設けられている。言い換えれば、２つの導電板５，５の上記他端側には、２本のランプピン１４，１４を回動子４へ導入可能な導入部５ｃが形成されている。
【００５１】
ここにおいて、本実施形態のランプソケット１０における回動子４は、回動子４の形状を適宜変更してもよい。なお、本実施形態のランプソケット１０は、ボディ２およびカバー３それぞれを既存のランプソケットのボディおよびカバーと互換性をもたせることが可能である。
【００５２】
以下、本実施形態のランプソケット１０を備えた照明器具を、図６を参照しながら説明する。
【００５３】
照明器具２０は、ＬＥＤランプ１１における上記一端側の口金１３を保持するランプソケット１０と、ＬＥＤランプ１１における上記他端側の口金１３を保持するアース用のランプソケット１８と、天井などの設置面に固定されランプソケット１０とランプソケット１８とを保持する直方体状の器具本体２１とを備えている。
【００５４】
ランプソケット１０およびランプソケット１８は、器具本体２１の下面側に配置されている。
【００５５】
ランプソケット１８は、ランプソケット１０と略同じ構造であって、回動子４がなく２つの導電板５，５が２つの軸片２ｄ，２ｄの内周壁に沿って配置されたものである。
【００５６】
また、器具本体２１は、図６（ｂ）に示すように、一対の電源線２３，２３を介して商用電源２２に電気的に接続される端子台２４と、ランプソケット１０へ給電する電源装置（点灯装置）２５とを備えている。なお、電源装置２５は、一対の第２の電線２６，２６を介して端子台２４に電気的に接続されている。
【００５７】
電源装置２５は、一対の第１の電線２７，２７を介してランプソケット１０における２つの導電板５，５に電気的に接続されている。
【００５８】
また、電源装置２５は、一対のアース用の電線２８，２８を介してランプソケット１８における２つの導電板５，５に電気的に接続されている。
【００５９】
以下、本実施形態のランプソケット１０を備えた照明器具２０に、ＬＥＤランプ１１を装着する方法を、図２、図６〜図８を参照しながら説明する。
【００６０】
作業者は、照明器具２０の下側からＬＥＤランプ１１における上記他端側の口金１３に設けられたランプピン１５をランプソケット１８における導入口（図示せず）に通してランプソケット１８における開口部（図示せず）へ導入する。
【００６１】
次に、図２に示すように、照明器具２０の下側からＬＥＤランプ１１における上記一端側の口金１３に設けられた２本のランプピン１４，１４をランプソケット１０における導入口７に通してランプソケット１０における開口部３ａへ導入する。
【００６２】
そして、図７に示すように、ＬＥＤランプ１１における２本のランプピン１４，１４の各鍵部１４ｂそれぞれを回動子本体４ａに設けられた各位置決め部４ｇにそれぞれ位置決めする。これにより、本実施形態のランプソケットは、作業者がＬＥＤランプ１１における管本体１２の中心軸を中心としてＬＥＤランプ１１を回動させるときに、２本のランプピン１４，１４の各鍵部１４ｂそれぞれが回動子本体４ａに設けられた各位置決め部４ｇにそれぞれ接触するので、回動子４が回動する。
【００６３】
また、作業者は、図８に示すように、ＬＥＤランプ１１における管本体１２の中心軸を中心としてＬＥＤランプ１１を９０度回動させることによって、ＬＥＤランプ１１の回動に応じて回動子４が９０度回動する。また、２本のランプピン１４，１４の各ピン本体１４ａそれぞれは、回動子４が９０度回動されたときに、２つの導電板５，５に接触する。したがって、ＬＥＤランプ１１は、２本のランプピン１４，１４が２つの導電板５，５に接触するので、器具本体２１における電源装置２５から一対の第１の電線２７，２７を介して給電される。
【００６４】
また、本実施形態のランプソケット１０からＬＥＤランプ１１を取り外す方法は、ＬＥＤランプ１１を装着する方法とは反対回りにＬＥＤランプ１１を９０度回動させると、ランプソケット１０からＬＥＤランプ１１を取り外すことができる。
【００６５】
以上説明した本実施形態のランプソケット１０は、回動子４に、Ｌ字状のランプピン１４の鍵部１４ｂにより当該回動子４を回動させるための２つの突起部４ｆが設けられるとともに、既存の蛍光ランプの各ランプピン６と各導電板５とが各別に接触するのを防止する壁部４ｅが設けられているので、特定の直管形のＬＥＤランプを装着することが可能で、且つ、既存の直管形の蛍光ランプが誤装着されるのを防止できる。また、本実施形態の照明器具２０は、特定の直管形のＬＥＤランプを装着することが可能で、且つ、既存の直管形の蛍光ランプが誤装着されるのを防止できるランプソケット１０を備えた照明器具を提供することができる。
【符号の説明】
【００６６】
１  ソケット本体
２ｃ  回動軸部
２ｄ  軸片
３ａ  開口部
４  回動子
４ａ  回動子本体
４ｂ  軸受部
４ｃ  軸受片
４ｄ  挿通孔
４ｅ  壁部
４ｆ  突起部
４ｇ  位置決め部
５  導電板
７  導入口
１０  ランプソケット
１１  ＬＥＤランプ
１２  管本体
１３  口金
１４  ランプピン
１４ａ  ピン本体
１４ｂ  鍵部
１６  切欠き部
１７  ランプ保持部
２１  器具本体
２５  電源装置
【図１】
0005616765.tif 000002
【図２】
0005616765.tif 000003
【図３】
0005616765.tif 000004
【図４】
0005616765.tif 000005
【図５】
0005616765.tif 000006
【図６】
0005616765.tif 000007
【図７】
0005616765.tif 000008
【図８】
0005616765.tif 000009